(57)【要約】  本発明に係る熱交換器は、重力方向に延設されたフィンと、フィンに交差するように装着された複数の伝熱管と、を備え、複数の伝熱管を重力方向に並設した熱交換器であって、フィンは、複数の伝熱管のそれぞれの上下に配した導水領域と、数の伝熱管のそれぞれの一方の側部に配した排水領域と、を有し、導水領域は、排水領域に水を導く導水構造を有し、排水領域は、重力方向に水を導く排水構造を有するものである。
2018003123.tif 000002
【特許請求の範囲】
【請求項１】
重力方向に延設されたフィンと、前記フィンに交差するように装着された複数の伝熱管と、を備え、前記複数の伝熱管を重力方向に並設した熱交換器であって、
前記フィンは、
前記複数の伝熱管のそれぞれの上下に配した導水領域と、
前記複数の伝熱管のそれぞれの一方の側部に配した排水領域と、を有し、
前記導水領域は、前記排水領域に水を導く導水構造を有し、
前記排水領域は、重力方向に水を導く排水構造を有する
熱交換器。
【請求項２】
前記導水構造は、
前記フィンの一部を波型に形成して構成された
請求項１に記載の熱交換器。
【請求項３】
前記導水構造は、
前記フィンの一部をディンプル状に形成して構成された
請求項１に記載の熱交換器。
【請求項４】
前記導水構造は、
前記フィンの一部を切り起こして形成したスリットを有している
請求項２又は３に記載の熱交換器。
【請求項５】
前記排水構造は、
前記フィンの一部を波型に形成して構成された
請求項１〜４のいずれか一項に記載の熱交換器。
【請求項６】
前記排水構造は、
前記フィンの一部をディンプル状に形成して構成された
請求項１〜４のいずれか一項に記載の熱交換器。
【請求項７】
前記排水構造は、
前記フィンの一部を切り起こして形成したスリットを有している
請求項５又は６に記載の熱交換器。
【請求項８】
前記複数の伝熱管は、
断面短軸方向よりも断面長軸方向を大きくした形状である
請求項１〜７のいずれか一項に記載の熱交換器。
【請求項９】
前記複数の伝熱管のそれぞれの断面長軸方向が、
前記排水領域に向かって下向きに傾斜している
請求項８に記載の熱交換器。
【請求項１０】
傾斜させた前記複数の伝熱管のそれぞれの傾斜角度を２０度以下とした
請求項９に記載の熱交換器。
【請求項１１】
圧縮機、第１熱交換器、絞り装置、第２熱交換器を冷媒配管によって接続した冷媒回路を有し、
請求項１〜１０のいずれか一項に記載の熱交換器を、前記第１熱交換器及び前記第２熱交換器の少なくとも１つとして用いている
冷凍サイクル装置。
【請求項１２】
請求項１〜１０のいずれか一項に記載の熱交換器を前記第２熱交換器として用いているものにおいて、
前記第２熱交換器に空気を供給する送風機を設け、
前記送風機によって供給される空気を前記第２熱交換器の前記導水領域側から流入させる
請求項１１に記載の冷凍サイクル装置。
【発明の詳細な説明】
【技術分野】
【０００１】
本発明は、フィンチューブ型の熱交換器、及び、この熱交換器を備えた冷凍サイクル装置に関するものである。
【背景技術】
【０００２】
従来、所定のフィンピッチ間隔を空けて配置された板状の複数のフィンと、縦幅よりも横幅を大きくした扁平形状の複数の伝熱管（以下、扁平管と称する）と、を備えるフィンチューブ型の熱交換器が知られている。以下の説明において、扁平管を用いたフィンチューブ型の熱交換器を、扁平管熱交換器と称する。【０００３】
扁平管熱交換器では、円管を用いた熱交換器と比較して、管内の伝熱面積を大きく確保できることに加え、熱交換流体の通風抵抗を抑制することができるため、伝熱性能を向上することができる。一方で、扁平管を用いた熱交換器を蒸発器として用いたときの排水性については、その断面形状が原因で、扁平管の管面（扁平面）に水滴が残留しやすく、円管と比較して劣る。【０００４】
たとえば扁平管熱交換器を冷凍サイクル装置の一例である空気調和機の室外機に搭載される熱源側熱交換器として用いた場合、暖房運転時に、熱交換流体である空気中の水分が結露して、熱源側熱交換器に付着して霜となる。着霜による通風抵抗の増加、伝熱性能の低下、さらには熱交換器の損傷を防ぐことを目的に、空気調和装置は一般的に除霜運転モードを備えている。しかしながら、水滴が熱源側熱交換器に残留した場合には、この水滴は再び氷結して、さらに大きな霜に成長してしまうことになる。したがって、熱源側熱交換器の排水性が悪い場合には、除霜運転の時間を長くする必要があり、その結果、快適性の低下及び平均暖房能力の低下を招くこととなる。【０００５】
そこで、排水性を向上させることを目的とした熱交換器が提案されている（たとえば、特許文献１参照）。特許文献１には、「複数の切り欠きを有する垂直な平板フィンに、偏平管を側面から挿入してなるフィンアンドチューブ形熱交換器において、該偏平管を空気流れの下流方向から挿入するとともに、偏平管の断面が空気流れに対して上り傾斜となるようにフィン面上に切り欠きを設けた」フィンアンドチューブ形熱交換器が開示されている。
【先行技術文献】
【特許文献】
【０００６】
【特許文献１】特開平７−９１８７３号公報
【発明の概要】
【発明が解決しようとする課題】
【０００７】
特許文献１に開示された熱交換器では、偏平管を空気流れに対して傾斜させることにより、扁平管上面に滞留する結露水を、重力の作用により排出し易くしている。そのため、特許文献１に開示された熱交換器によれば、露飛びを抑制することができ、また除霜時間を低減することができる。その一方で、そのような効果を十分に得るには、扁平管の傾斜角度を大きくする必要がある。扁平管の傾斜角度を大きくした場合、熱交換器内部に流入した空気は、扁平管の前縁において剥離してしまい、扁平管の長所である伝熱性能を阻害してしまう。【０００８】
また、傾斜角度を小さくすると、結露水が扁平管の上面および下部面に滞留し易くなってしまう。結露水の排水性が悪いと、扁平管の上面及び下面に滞留した結露水が、フィン及びチューブの腐食の原因となる。フィン及びチューブが腐食すると、熱交換器の信頼性の低下につながってしまう。【０００９】
本発明は、上記のような課題を背景としてなされたものであり、排水性の向上及び伝熱性能の確保を両立させた熱交換器、及び、この熱交換器を備えた冷凍サイクル装置を提供することを目的とする。
【課題を解決するための手段】
【００１０】
本発明に係る熱交換器は、重力方向に延設されたフィンと、前記フィンに交差するように装着された複数の伝熱管と、を備え、前記複数の伝熱管を重力方向に並設した熱交換器であって、前記フィンは、前記複数の伝熱管のそれぞれの上下に配した導水領域と、前記複数の伝熱管のそれぞれの一方の側部に配した排水領域と、を有し、前記導水領域は、前記排水領域に水を導く導水構造を有し、前記排水領域は、重力方向に水を導く排水構造を有するものである。【００１１】
本発明に係る冷凍サイクル装置は、圧縮機、第１熱交換器、絞り装置、第２熱交換器を冷媒配管によって接続した冷媒回路を有し、上記の熱交換器を、前記第１熱交換器及び前記第２熱交換器の少なくとも１つとして用いているものである。
【発明の効果】
【００１２】
本発明に係る熱交換器によれば、フィンの導水領域が、排水領域に水を導く導水構造を有し、フィンの排水領域が、重力方向に水を導く排水構造を有するので、フィンに付着した水が排水領域から下方に流れやすく、排水性が向上し、空気の通風路が水の氷結等によって閉塞されず伝熱性能が確保できることになる。【００１３】
本発明に係る冷凍サイクル装置は、上記の熱交換器を用いているので、熱交換器で発生した水滴の排水性が大幅に向上されるため、同様に伝熱性能も確保できることになる。
【図面の簡単な説明】
【００１４】
【図１】本発明の実施の形態１に係るフィンチューブ型熱交換器の構成例の一部を概略的に示す断面図である。
【図２】本発明の実施の形態１に係るフィンチューブ型熱交換器の構成例の一部を三方向から見た模式図である。
【図３】本発明の実施の形態１に係るフィンチューブ型熱交換器を構成するフィンの構成例を概略的に示す側面図である。
【図４】本発明の実施の形態１に係るフィンチューブ型熱交換器を構成する伝熱管の構成例を概略的に示す断面図である。
【図５】本発明の実施の形態１に係るフィンチューブ型熱交換器の全体外観構成の一例を示す斜視概要図である。
【図６】本発明の実施の形態１に係るフィンチューブ型熱交換器を構成するフィンの具体的な構成例の一例を示す構成図である。
【図７】本発明の実施の形態１に係るフィンチューブ型熱交換器を構成するフィンの具体的な構成例の他の一例を示す構成図である。
【図８】本発明の実施の形態１に係るフィンチューブ型熱交換器を構成するフィンの具体的な構成例の更に他の一例を示す構成図である。
【図９】本発明の実施の形態１に係るフィンチューブ型熱交換器を構成するフィンの具体的な構成例の更に他の一例を示す構成図である。
【図１０】本発明の実施の形態１に係るフィンチューブ型熱交換器の伝熱管の傾斜角度と伝熱性能及び排水性能との関係を示す図である。
【図１１】本発明の実施の形態１に係るフィンチューブ型熱交換器で発生した水の流れを説明するための模式図である。
【図１２】本発明の実施の形態２に係る冷凍サイクル装置の冷媒回路構成の一例を概略的に示す回路構成図である。
【発明を実施するための形態】
【００１５】
以下、図面を適宜参照しながら本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１６】
実施の形態１．
図１は、本発明の実施の形態１に係るフィンチューブ型熱交換器（以下、熱交換器５００と称する）の構成例の一部を概略的に示す断面図である。図２は、熱交換器５００の構成例の一部を三方向から見た模式図である。図３は、熱交換器５００を構成するフィン１の構成例を概略的に示す側面図である。図４は、熱交換器５００を構成する伝熱管２の構成例を概略的に示す断面図である。図５は、熱交換器５００の全体外観構成の一例を示す斜視概要図である。図１〜図５に基づいて、熱交換器５００について説明する。
【００１７】
なお、図１及び図２では、空気の流通方向を矢印Ｘで、フィン１の並んでいる方向を矢印Ｙで、重力方向を矢印Ｚで、それぞれ示している。また、図１及び図２では、４本の伝熱管２がフィン１に挿入されている部分を拡大して示している。さらに、図１には、フィン１を上面視及び側面視した模式図を併せて図示している。図２では、（ａ）が空気の流通方向から見た熱交換器５００の側面図であり、（ｂ）が伝熱管２の延設方向から見た熱交換器５００の側面図であり、（ｃ）が熱交換器５００を上から見た上面図である。さらに、図５では、空気の流れを白抜き矢印で示している。
【００１８】
熱交換器５００は、複数枚が所定の間隔で配置され、その間を空気などの流体が流れる板状のフィン１と、フィン１に軸方向に挿入された複数の伝熱管２と、を備えている。複数枚のフィン１は、重力方向が長手となるように延設された板状部材で形成されている。複数枚のフィン１は、空気の流れ方向に対して垂直で、かつ重力方向に対して垂直な方向（矢印Ｙ方向）に、所定のフィンピッチＦｐを空けて配置されている。複数の伝熱管２は、矢印Ｙ方向に延び、複数のフィン１を横切るように配置される。複数のフィン１と複数の伝熱管２とは、ろう付けにより一体的に密着されている。
【００１９】
（フィン１の概略構成）
フィン１は、伝熱管２の上下に配した導水領域１ａと、伝熱管２の側部に配した排水領域１ｂと、を有している。
【００２０】
具体的には、導水領域１ａは、重力方向となるフィン１の長手方向に複数の切欠部１０が配置された領域であり、伝熱管２が挿入密着される領域である。つまり、導水領域１ａは、上下に隣り合う伝熱管２の間に付着した水（たとえば結露水）を排水領域１ｂに導く領域である。
また、排水領域１ｂは、重力方向となるフィン１の長手方向に複数の切欠部１０が形成されていない領域である。つまり、排水領域１ｂは、フィン１に付着した水（導水領域１ａから導かれた水を含む）を重力方向に導く領域である。
【００２１】
フィン１は、一側部側（図３の紙面左側）から他側部側（図３の紙面右側）に向かって、伝熱管２の外径に沿った形状で切り欠かれた切欠部１０を有している。切欠部１０の他側部側の端部を奥部１０ａと称し、切欠部１０の一側部側の端部を挿入部１０ｂと称する。奥部１０ａは、図３に示すようにフィレット状となっている。ただし、奥部１０ａの形状をフィレット状に限定するものではなく、楕円状となっていてもよい。つまり、奥部１０ａは、伝熱管２の形状に応じて形成されていればよい。奥部１０ａの最端部を通る重力方向の直線が、導水領域１ａと排水領域１ｂとの境界線となっている（図３に示す一点鎖線Ａ）。
【００２２】
挿入部１０ｂは、フィン１の他側部側から一側部側に向かって広がった形状を有している。挿入部１０ｂをこのような形状とすることにより、切欠部１０への伝熱管２の挿入を容易にしている。
上下に隣り合う切欠部１０の重力方向の距離は、段ピッチＤｐで一定としている。
また、フィン１は、例えばアルミニウム製又はアルミニウム合金製である。
【００２３】
（伝熱管２の概略構成）
複数の伝熱管２は、フィン１の複数の切欠部１０に装着され、フィン１と交差するものである。複数の伝熱管２は、フィン１の切欠部１０に装着されるため、重力方向に並設したものとなっている。また、伝熱管２は、図１に示すように、縦幅（断面短軸方向）よりも横幅（断面長軸方向）を大きくした形状に構成されている。つまり、複数の伝熱管２は、長軸の向きがフィン１の間を流れる流体の流通方向とされ、流通方向に対して直交する段方向（紙面上下方向）に間隔を空けて配置される。
【００２４】
なお、以下の説明において、伝熱管２の長軸、つまりフィン１の幅方向に伸びる部分を、伝熱管２の幅と称する場合がある。また、ここでは、伝熱管２が扁平管である場合を例に説明するが、伝熱管２が厳密に扁平形状に構成されている必要はなく、伝熱管２は縦幅よりも横幅が大きい形状であればよい。
【００２５】
伝熱管２は、図４に示すように、扁平形状の上部を含む上面２ａ、扁平形状の下部を含む下面２ｃ、幅方向の一方の端部（図４では紙面左側の端部）を含む一側部２ｄ、及び、幅方向の他方の端部（図４では紙面右側の端部）を含む他側部２ｂを有している。なお、図４では上面２ａと下面２ｃとが平行になっている伝熱管２を例に示しているが、上面２ａ又は下面２ｃを傾斜させて上面２ａと下面２ｃとが平行になっていなくてもよい。
【００２６】
一側部２ｄ、および、他側部２ｂのそれぞれの断面形状は、円弧形状、つまりフィレット状となっている。伝熱管２がフィン１の切欠部１０に装着された状態において、他側部２ｂはフィン１に形成された切欠部１０の奥部１０ａ側に位置し、一側部２ｄはフィン１に形成された切欠部１０の挿入部１０ｂ側に位置している。
上下に隣り合う伝熱管２の重力方向の距離は、段ピッチＤｐで一定としている。
また、伝熱管２は、例えばアルミニウム製又はアルミニウム合金製である。
【００２７】
伝熱管２の内部には複数の隔壁２Ａが形成され、隔壁２Ａによって伝熱管２の内部に複数の冷媒流路２０が形成されている。なお、隔壁２Ａの表面、及び、伝熱管２の内壁面に溝又はスリットを形成してもよい。これにより、冷媒流路２０を流れる冷媒との接触面積が増えることになり、熱交換効率が向上する。
【００２８】
伝熱管２は、上面２ａ及び下面２ｃを幅方向の中心部を通る鉛直線に対して略対称となるように形成される。これにより、伝熱管２を押出成形する場合の製造性を確保し易くなる。
なお、伝熱管２は、例えば、押出成形により断面が長円形状となるように作製した後に、追加工により最終形状を形成してもよい。
【００２９】
（フィン１の詳細な構成その１）
図６は、熱交換器５００を構成するフィン１の具体的な構成例の一例を示す構成図である。図１、図２及び図６に基づいて、フィン１の具体的な構成例の１つについて詳細に説明する。なお、図６では、空気の流通方向を矢印Ｘで、フィン１の並んでいる方向を矢印Ｙで、重力方向を矢印Ｚで、それぞれ示している。また、図６では、４本の伝熱管２がフィン１に挿入されている部分を拡大して示している。
【００３０】
図１、図２及び図６に示すように、フィン１は、導水領域１ａと排水領域１ｂを有している。そして、フィン１は、導水領域１ａの少なくとも一部に形成された、排水領域１ｂの方向に向かって水を導出する導水構造を有している。また、フィン１は、排水領域１ｂの少なくとも一部に形成された、重力方向に向かって水を排出する排水構造を有している。
【００３１】
「導水構造」
導水構造は、導水領域１ａの少なくとも一部に形成されている。具体的には、フィン１を構成する部材の一部を、稜線がＸ軸方向と平行となる波型にすることで導水構造を形成している。以下、波型形状の導水構造を波型導水構造１ａ−１と称する。導水領域１ａを波型導水構造１ａ−１とすることにより、導水領域１ａに付着した水を波型導水構造１ａ−１の稜線に沿って流すことができ、排水領域１ｂに導きやすくなる。そのため、熱交換器５００としての排水性が向上することになる。
【００３２】
波型導水構造１ａ−１の波型の本数については、特に限定するものではない。また、波型導水構造１ａ−１の波型の山部及び谷部の頂点を、角度を持って構成してもよく、Ｒ部として曲面で構成してもよい。さらに、波型導水構造１ａ−１の波型の稜線が、Ｘ軸方向と厳密に平行である必要はなく、Ｘ軸方向に対して傾斜していてもよい。波型導水構造１ａ−１の波型の稜線が排水領域１ｂに向かって下方に傾斜した波型であれば、排水領域１ｂに水をより案内しやすくなる（図９参照）。
【００３３】
「排水構造」
排水構造は、排水領域１ｂの少なくとも一部に形成されている。具体的には、フィン１を構成する部材の一部を、稜線がＺ軸方向と平行となる波型にすることで排水構造を形成している。以下、波型形状の排水構造を波型排水構造１ｂ−１と称する。排水領域１ｂを波型排水構造１ｂ−１とすることにより、排水領域１ｂに付着した水（導水領域１ａから導かれた水を含む）を波型排水構造１ｂ−１の稜線に沿って流すことができ、熱交換器５００の下方に排出しやすくなる。そのため、熱交換器５００としての排水性が向上することになる。
【００３４】
波型排水構造１ｂ−１の波型の本数については、特に限定するものではない。また、波型排水構造１ｂ−１の波型の山部及び谷部の頂点を、角度を持って構成してもよく、Ｒ部として曲面で構成してもよい。さらに、図１及び図６では、波型排水構造１ｂ−１が、切欠部１０の形成位置で離隔されている状態を例に示しているが、図２に示すように波型排水構造１ｂ−１の全部を繋げて構成してもよい。
【００３５】
なお、図１及び図６では、波型導水構造１ａ−１と波型排水構造１ｂ−１とが離隔されている状態を例に示しているが、これに限定するものではなく、図２に示すように波型導水構造１ａ−１と波型排水構造１ｂ−１とを繋げてもよい。波型導水構造１ａ−１と波型排水構造１ｂ−１とが離隔されている場合において、両者の離隔距離を特に限定するものではない。
【００３６】
また、フィン１に、フィン１の一部を切り起こしたスリットを形成してもよい。スリットは、伝熱に伴う抵抗を低減することにより、フィン１間の通風路を流れる空気とフィン１との間の熱伝達を促進させる機能を果たす。スリットを形成する場合、形成位置を特に限定するものではないが、導水領域１ａ（つまり、波型導水構造１ａ−１）の少なくとも一部に形成したり、排水領域１ｂ（つまり波型排水構造１ｂ−１）の少なくも一部に形成したり、双方のそれぞれの少なくとも一部に形成したりすることができる。
【００３７】
（フィン１の詳細な構成その２）
図７は、熱交換器５００を構成するフィン１の具体的な構成例の他の一例を示す構成図である。図７に基づいて、フィン１の具体的な構成例の１つについて詳細に説明する。なお、図７では、空気の流通方向を矢印Ｘで、フィン１の並んでいる方向を矢印Ｙで、重力方向を矢印Ｚで、それぞれ示している。また、図７では、４本の伝熱管２がフィン１に挿入されている部分を拡大して示している。
【００３８】
「導水構造」
図７に示すように、フィン１を構成する部材の一部をディンプル状とすることで導水構造を形成してもよい。以下、ディンプル状の導水構造をディンプル導水構造１ａ−２と称する。導水領域１ａをディンプル導水構造１ａ−２とすることにより、導水領域１ａに付着した水をディンプルの表面張力を利用して排水領域１ｂに導きやすくなる。そのため、熱交換器５００としての排水性が向上することになる。
【００３９】
ディンプル導水構造１ａ−２のディンプルの個数については、特に限定するものではない。また、ディンプル導水構造１ａ−２のディンプルの深さ、ディンプル同士の間隔を、特に限定するものではない。また、ディンプル導水構造１ａ−２のディンプルの頂部を、角度を持って構成してもよく、Ｒ部として曲面で構成してもよい。さらに、ディンプル導水構造１ａ−２のディンプルを構成している１つ１つの大きさが、そろっている必要はなく、全部が異なっていてもよいし、一部が異なっていてもよい。
【００４０】
「排水構造」
図７に示すように、フィン１を構成する部材の一部をディンプル状とすることで排水構造を形成してもよい。以下、ディンプル状の排水構造をディンプル排水構造１ｂ−２と称する。ディンプル排水構造１ｂ−２とすることにより、排水領域１ｂに付着した水（導水領域１ａから導かれた水を含む）をディンプルの表面張力を利用して重力方向に沿って流すことができ、熱交換器５００の下方に排出しやすくなる。そのため、熱交換器５００としての排水性が向上することになる。
【００４１】
ディンプル排水構造１ｂ−２のディンプルの個数については、特に限定するものではない。また、ディンプル排水構造１ｂ−２のディンプルの深さ、ディンプル同士の間隔を、特に限定するものではない。また、ディンプル排水構造１ｂ−２のディンプルの頂部を、角度を持って構成してもよく、Ｒ部として曲面で構成してもよい。さらに、ディンプル排水構造１ｂ−２のディンプルを構成している１つ１つの大きさが、そろっている必要はなく、全部が異なっていてもよいし、一部が異なっていてもよい。
【００４２】
ディンプル導水構造１ａ−２のディンプルと、ディンプル排水構造１ｂ−２のディンプルと、の疎密状態を同じとしてもよいが、疎密状態を変化させてもよい。疎密を変化させることで表面張力を調整することができ、導水領域１ａから排水領域１ｂに向かっての水の流れを作りやすい。つまり、導水領域１ａの形状と排水領域１ｂの形状とに形状差をつけることで、導水領域１ａから排水領域１ｂに向かっての水の流れが形成されやすくなる。
【００４３】
なお、ディンプル導水構造１ａ−２の各ディンプルの間隔と、ディンプル排水構造１ｂ−２の各ディンプルの間隔とを調整することにより、疎密状態を変化させることができる。あるいは、ディンプル導水構造１ａ−２の各ディンプルの高さと、ディンプル排水構造１ｂ−２の各ディンプルの高さとを調整することにより、疎密状態を変化させるとよい。ディンプルの高さとは、フィン１を底面と見たときのフィン１からディンプルの頂点までの高さのことをいう。
【００４４】
なお、図１及び図７では、ディンプル導水構造１ａ−２とディンプル排水構造１ｂ−２とが離隔されている状態を例に示しているが、これに限定するものではなく、ディンプル導水構造１ａ−２とディンプル排水構造１ｂ−２とがつながっていてもよい。ディンプル導水構造１ａ−２とディンプル排水構造１ｂ−２とが離隔されている場合において、両者の離隔距離を特に限定するものではない。
【００４５】
また、フィン１に、フィン１の一部を切り起こしたスリットを形成してもよい。スリットは、上述したように、フィン１間の通風路を流れる空気とフィン１との間の熱伝達を促進させる機能を果たす。スリットを形成する場合、形成位置を特に限定するものではないが、導水領域１ａ（つまりディンプル導水構造１ａ−２）の少なくとも一部に形成したり、排水領域１ｂ（つまりディンプル排水構造１ｂ−２）の少なくも一部に形成したり、双方のそれぞれの少なくとも一部に形成したりすることができる。
【００４６】
（フィン１の詳細な構成その３）
図８は、熱交換器５００を構成するフィン１の具体的な構成例の更に他の一例を示す構成図である。図８に基づいて、フィン１の具体的な構成例の１つについて詳細に説明する。なお、図８では、空気の流通方向を矢印Ｘで、フィン１の並んでいる方向を矢印Ｙで、重力方向を矢印Ｚで、それぞれ示している。また、図８では、４本の伝熱管２がフィン１に挿入されている部分を拡大して示している。
【００４７】
図８に示すように、フィン１を構成する部材の一部にスリットを形成して導水構造を構成してもよい。以下、スリットを形成した導水構造をスリット導水構造１ａ−３と称する。スリット導水構造１ａ−３とすることにより、導水領域１ａに付着した水を形状の相違を利用して排水領域１ｂに導きやすくなる。そのため、熱交換器５００としての排水性が向上することになる。
【００４８】
スリット導水構造１ａ−３のスリットの個数については、特に限定するものではない。また、スリット導水構造１ａ−３のスリットの大きさ、形状を、特に限定するものではない。また、スリット導水構造１ａ−３のスリットの１つ１つの大きさが、そろっている必要はなく、全部が異なっていてもよいし、一部が異なっていてもよい。さらに、スリット導水構造１ａ−３をＸ軸方向に対して傾斜させた場合を例に示しているが、これに限定するものではなく、Ｘ軸方向に対して傾斜していなくてもよい。
【００４９】
「排水構造」
図８に示すように、フィン１を構成する部材の一部にスリットを形成して排水構造を構成してもよい。以下、スリットを形成した排水構造をスリット排水構造１ｂ−３と称する。スリット排水構造１ｂ−３とすることにより、排水領域１ｂに付着した水（導水領域１ａから導かれた水を含む）を形状の相違を利用して重力方向に沿って流すことができ、熱交換器５００の下方に排出しやすくなる。そのため、熱交換器５００としての排水性が向上することになる。
【００５０】
スリット排水構造１ｂ−３のスリットの個数については、特に限定するものではない。また、スリット排水構造１ｂ−３のスリットの大きさ、形状を、特に限定するものではない。また、スリット排水構造１ｂ−３のスリットの１つ１つの大きさが、そろっている必要はなく、全部が異なっていてもよいし、一部が異なっていてもよい。
【００５１】
（フィン１の詳細な構成その４）
導水構造と排水構造の具体的な組み合わせ例として、波型導水構造１ａ−１と波型排水構造１ｂ−１、ディンプル導水構造１ａ−２とディンプル排水構造１ｂ−２、スリット導水構造１ａ−３とスリット排水構造１ｂ−３を挙げて説明したが、これらは適宜組み合わせを変更することが可能なものとする。たとえば、波型導水構造１ａ−１とディンプル排水構造１ｂ−２を組み合わせたり、ディンプル導水構造１ａ−２と波型排水構造１ｂ−１を組み合わせたりすることができる。また、これらの組み合わせについても、スリット導水構造１ａ−３とスリット排水構造１ｂ−３を含めるようにしてもよい。
【００５２】
（フィン１の詳細な構成その５）
図９は、熱交換器５００を構成するフィン１の具体的な構成例の更に他の一例を示す構成図である。図１０は、熱交換器５００の伝熱管２の傾斜角度θと伝熱性能及び排水性能との関係を示す図である。図９及び図１０に基づいて、フィン１の具体的な構成例の１つについて詳細に説明する。なお、図９では、空気の流通方向を矢印Ｘで、フィン１の並んでいる方向を矢印Ｙで、重力方向を矢印Ｚで、それぞれ示している。また、図９では、４本の伝熱管２がフィン１に挿入されている部分を拡大して示している。さらに図１０では、縦軸が伝熱性能及び排水性能を、横軸が傾斜角度θを、それぞれ示している。
【００５３】
図６では、切欠部１０の長軸及び波型導水構造１ａ−１の稜線が、Ｘ軸方向と平行となっている状態を例に説明したが、図９では、切欠部１０の長軸及び波型導水構造１ａ−１の稜線をＸ軸方向に対して傾斜させた例を示している。つまり、伝熱管２は、長軸が排水領域１ｂに向かって下向きに傾斜してフィン１に装着されている。このようにしておけば、伝熱管２の上面２ａに滞留する水及び波型導水構造１ａ−１に付着した水が、より排水領域１ｂに移動しやすくなり、排水性が更に向上することになる。なお、図９では、傾斜させた波型導水構造を傾斜波型導水構造１ａ−４として図示している。
【００５４】
図１０から、排水性能が、傾斜角度θが０〜２０度の範囲で一気に向上するが、２０度以上になると飽和傾向となり、排水性の大幅な向上は見込めないということがわかる。一方で、傾斜角度θを大きくするに従い伝熱性能が低下していくということがわかる。これは、傾斜角度θを大きくすると、上段の伝熱管２と下段の伝熱管２との距離が狭まり、空気が流れるときの通風抵抗が増大してしまうからだと考えられる。したがって、傾斜角度θとしては、Ｘ軸に対して２０度以下とすることが望ましい。
【００５５】
なお、切欠部１０の長軸及び傾斜波型導水構造１ａ−４の稜線の全部をＸ軸方向に対して傾斜させる必要はなく、切欠部１０の長軸及び傾斜波型導水構造１ａ−４の稜線の少なくとも一部がＸ軸方向に対して傾斜していればよい。また、切欠部１０の長軸及び傾斜波型導水構造１ａ−４の稜線のうち少なくともいずれかだけをＸ軸方向に対して傾斜させてもよい。
さらに、ここでは、傾斜波型導水構造１ａ−４を例に説明したが、ディンプル導水構造１ａ−２、スリット導水構造１ａ−３であっても同様の考え方で、傾斜させてもよい。
【００５６】
（熱交換器５００の概略構成）
熱交換器５００は、たとえば図３に示すフィン１と図４に示す伝熱管２の組み合わせを、流体の流通方向に対して並行な方向に間隔を空けて２列並べることで構成される。図３に示すフィン１と図４に示す伝熱管２の組み合わせを、図５に示すように風上側熱交換器５００Ａ、風下側熱交換器５００Ｂとして２列並べて熱交換器５００を構成するとよい。つまり、風上側熱交換器５００Ａ及び風下側熱交換器５００Ｂは、図３に示すフィン１と図４に示す伝熱管２の組み合わせで同様に構成されている。
【００５７】
なお、図６〜図９のいずれかに示すフィン１と図４に示す伝熱管２との組み合わせを、図５に示すように風上側熱交換器５００Ａ、風下側熱交換器５００Ｂとして２列並べて熱交換器５００を構成してもよい。また、たとえば、風上側熱交換器５００Ａを図７に示すフィン１と図４に示す伝熱管２との組み合わせで構成し、風下側熱交換器５００Ｂを図８に示すフィン１と図５に示す伝熱管２との組み合わせで構成してもよい。
【００５８】
なお、熱交換器５００は、風上側熱交換器５００Ａ及び風下側熱交換器５００Ｂの他に、たとえば、風上側ヘッダ集合管５０３、風下側ヘッダ集合管５０４、列間接続部材５０５を備えている。
【００５９】
（熱交換器５００の作用）
図１１は、熱交換器５００で発生した水の流れを説明するための模式図である。図１１に基づいて、熱交換器５００の作用について説明する。なお、図１１には、熱交換器５００で発生した水を水滴Ｗとして図示している。また、図１１では、導水構造として波型導水構造１ａ−１を、排水構造として波型排水構造１ｂ−１を、それぞれ採用した熱交換器５００を例に示している。
【００６０】
まず、送風手段から供給される空気と、伝熱管２の内部を流れる冷媒との間で熱交換を行うときについて説明する。
送風手段は、例えば、プロペラファン、モータ、および、制御機器等から構成され、熱交換器５００の上流側又は下流側に、プロペラファンの回転軸が略水平となるように配置されている。なお、空気の流れ方向は、導水領域１ａ側から熱交換器５００に流入してもよいし、排水領域１ｂ側から熱交換器５００に流入してもよい。
【００６１】
空気は、導水領域１ａ側又は排水領域１ｂ側から、複数枚のフィン１の間に流入する。導水領域１ａ側から流入した空気は、排水領域１ｂ側から流出する。排水領域１ｂ側から流入した空気は、導水領域１ａ側から流出する。いずれの経路においても、伝熱管２の前縁に到達した空気は、上面２ａと下面２ｃの二手に分かれることになる。導水領域１ａ側から空気が流入する場合、一側部２ｄが伝熱管２の前縁となる。排水領域１ｂ側から空気が流入する場合、他側部２ｂが伝熱管２の前縁となる。
【００６２】
上面２ａでの空気の流れについて説明する。
上面２ａは、空気の流れ方向と平行であるため、伝熱管２の幅方向のほぼ全域において、空気は上面２ａに沿って流れことができ、大きな剥離を発生させることなく空気と伝熱管２の表面との間の熱交換を促進することができる。また、通風抵抗を軽減することができる。
【００６３】
下面２ｃでの空気の流れについて説明する。
下面２ｃも、空気の流れ方向と平行であるため、伝熱管２の幅方向のほぼ全域において、空気は下面２ｃに沿って流れことができ、大きな剥離を発生させることなく空気と伝熱管２の表面との間の熱交換を促進することができる。また、通風抵抗を軽減することができる。
【００６４】
次に、熱交換器５００の導水領域１ａに付着した水滴の排出過程について説明する。
たとえば、熱交換器５００を蒸発器として用いた場合、熱交換器５００では凝縮水が発生する。この凝縮主が水滴Ｗとなり、フィン１の導水領域１ａに付着する。導水領域１ａに付着した水滴Ｗは、導水領域１ａに沿って下方に流れる。導水領域１ａを下方に流れた水滴Ｗは、その導水領域１ａの下方に位置する伝熱管２の上面２ａに到達する。
【００６５】
伝熱管２の上面２ａに到達した水滴Ｗは、伝熱管２の上面２ａに滞留し、成長する。成長した水滴Ｗは、一定以上の大きさになると、伝熱管２の形状により、他側部２ｂ、一側部２ｄの方向に導かれる。そして、他側部２ｂ側に流れ、排水領域１ｂに至った水滴Ｗは、排水領域１ｂを伝って、熱交換器５００の下方に排出される。排水領域１ｂには、伝熱管２が存在しないため、水滴Ｗは、フィン１の表面を伝って一気に熱交換器５００の下部に流れ、排出される。
【００６６】
導水領域１ａから排水領域１ｂに伝っていかなかった水滴Ｗは、伝熱管２の他側部２ｂ、一側部２ｄを伝って下面２ｃに回り込む。伝熱管２の下面２ｃに回り込んだ水滴Ｗは、表面張力、重力及び静止摩擦力等が釣り合った状態で、伝熱管２の下面２ｃに滞留して成長する。水滴Ｗは、成長に伴って下方に膨らんでいき、重力の影響が大きくなる。そして、水滴Ｗにかかる重力が、表面張力等の重力方向上方（矢印Ｚ方向）の力に勝ると、水滴Ｗは、表面張力の影響を受けなくなり、伝熱管２の下面２ｃから離脱して、下方に落下する。
【００６７】
伝熱管２の下面２ｃから離脱した水滴Ｗは、再び導水領域１ａに沿って下方に流れ、下段の伝熱管２の上面２ａに到達する。あるいは、伝熱管２の下面２ｃから離脱した水滴Ｗは、他側部２ｂ側に流れ、排水領域１ｂに導かれ、排水領域１ｂを伝って熱交換器５００の下方に排出される。すなわち、水滴Ｗは、上方から下方に向かって同様の挙動を繰り返し、最終的には熱交換器５００の下方から排水される。
【００６８】
ここで、熱交換器５００では、導水領域１ａに「導水構造」が形成され、排水領域１ｂに「排水構造」が形成されている。そのため、導水領域１ａに付着した水滴Ｗが排水領域１ｂ側に移動しやすくなっており、排水性が向上する。具体的には、導水領域１ａに付着した水滴Ｗは、波型に形成された導水構造の稜線方向に沿って流れるので、排水領域１ｂに到達しやすくなっている。
【００６９】
以上のように、熱交換器５００では、導水領域１ａに「導水構造」を形成し、排水領域１ｂに「排水構造」を形成したので、排水性が向上することになる。それに伴い、熱交換器５００では、空気の通風路となる部分が水滴Ｗの氷結等によって閉塞されることがなくなり、伝熱性能が低下してしまうのを大幅に抑制できる。また、熱交換器５００によれば、導水領域１ａに「導水構造」を形成し、排水領域１ｂに「排水構造」を形成したので、導水領域１ａ及び排水領域１ｂの表面積が増加することになり、伝熱性能が向上することにもなる。
【００７０】
なお、実施の形態１では、伝熱管２として縦幅よりも横幅を大きくした扁平形状のものを例に挙げて説明したが、これに限定するものではなく、伝熱管２として円管を採用してもよい。また、複数枚のフィン１を備えた熱交換器を例に説明したが、これに限定するものではなく、フィン１は１枚であってもよい。
【００７１】
実施の形態２．
図１２は、本発明の実施の形態２に係る冷凍サイクル装置１００の冷媒回路構成の一例を概略的に示す回路構成図である。図１２に基づいて、冷凍サイクル装置１００について説明する。なお、本実施の形態２では実施の形態１との相違点を中心に説明し、実施の形態１と同一部分には、同一符号を付して説明を省略するものとする。また、図１２では、冷凍サイクル装置１００の一例として空気調和装置を例に説明するものとする。さらに、図１２では、冷房運転時の冷媒の流れを破線矢印で示し、暖房運転時の冷媒の流れを実線矢印で示している。
【００７２】
図１２に示すように、冷凍サイクル装置１００は、圧縮機３３、流路切替装置３９、第１熱交換器３４、絞り装置３５、第２熱交換器３６、及び、送風機３７を備えている。そして、圧縮機３３、第１熱交換器３４、絞り装置３５、及び、第２熱交換器３６が、冷媒配管４０によって接続され、冷媒回路が形成されている。送風機３７は、第１熱交換器３４および第２熱交換器３６に付設され、第１熱交換器３４及び第２熱交換器３６に空気を供給するようになっている。なお、送風機３７はいずれも送風機用モータ３８により回転される。
【００７３】
圧縮機３３は、冷媒を圧縮するものである。圧縮機３３で圧縮された冷媒は、吐出されて第１熱交換器３４へ送られる。圧縮機３３は、例えば、ロータリ圧縮機、スクロール圧縮機、スクリュー圧縮機、往復圧縮機等で構成することができる。
【００７４】
第１熱交換器３４は、暖房運転時には凝縮器として機能し、冷房運転時には蒸発器として機能するものである。つまり、凝縮器として機能する場合、第１熱交換器３４は、圧縮機３３から吐出された高温高圧の冷媒と送風機３７により供給される空気とが熱交換し、高温高圧のガス冷媒が凝縮する。一方、蒸発器として機能する場合、第１熱交換器３４は、絞り装置３５から流出された低温低圧の冷媒と送風機３７により供給される空気とが熱交換し、低温低圧の液冷媒または二相冷媒が蒸発する。
【００７５】
絞り装置３５は、第１熱交換器３４又は第２熱交換器３６から流出した冷媒を膨張させて減圧するものである。絞り装置３５は、例えば冷媒の流量を調整可能な電動膨張弁等で構成するとよい。なお、絞り装置３５としては、電動膨張弁だけでなく、受圧部にダイアフラムを採用した機械式膨張弁、または、キャピラリーチューブ等を適用することも可能である。
【００７６】
第２熱交換器３６は、暖房運転時には蒸発器として機能し、冷房運転時には凝縮器として機能するものである。つまり、蒸発器として機能する場合、第２熱交換器３６は、絞り装置３５から流出された低温低圧の冷媒と送風機３７により供給される空気とが熱交換し、低温低圧の液冷媒または二相冷媒が蒸発する。一方、凝縮器として機能する場合、第２熱交換器３６は、圧縮機３３から吐出された高温高圧の冷媒と送風機３７により供給される空気とが熱交換し、高温高圧のガス冷媒が凝縮する。
【００７７】
流路切替装置３９は、暖房運転と冷房運転とにおいて冷媒の流れを切り替えるものである。つまり、流路切替装置３９は、暖房運転時には圧縮機３３と第１熱交換器３４とを接続するように切り替えられ、冷房運転時には圧縮機と第２熱交換器３６とを接続するように切り替えられる。なお、流路切替装置３９は、たとえば四方弁で構成するとよい。ただし、二方弁又は三方弁の組み合わせを流路切替装置３９として採用してもよい。
【００７８】
ここで、実施の形態１に係る熱交換器５００を、第１熱交換器３４又は第２熱交換器３６、もしくは、第１熱交換器３４及び第２熱交換器３６の両方に用いることができる。つまり、冷凍サイクル装置１００は、実施の形態１に係る熱交換器５００を、第１熱交換器３４及び第２熱交換器３６のうち少なくともいずれか１つとして備えている。ただし、実施の形態１で説明したように、熱交換器５００を第２熱交換器３６として用いることが望ましい。
【００７９】
＜冷凍サイクル装置１００の動作＞
次に、冷凍サイクル装置１００の動作について、冷媒の流れとともに説明する。ここでは、熱交換流体が空気であり、被熱交換流体が冷媒である場合を例に、冷凍サイクル装置１００の動作について説明する。
【００８０】
まず、冷凍サイクル装置１００が実行する冷房運転について説明する。なお、冷房運転時の冷媒の流れは、図１２の破線矢印で示している。
【００８１】
図１２に示すように、圧縮機３３を駆動させることによって、圧縮機３３から高温高圧のガス状態の冷媒が吐出する。以下、破線矢印にしたがって冷媒が流れる。圧縮機３３から吐出した高温高圧のガス冷媒（単相）は、流路切替装置３９を介して凝縮器として機能する第２熱交換器３６に流れ込む。第２熱交換器３６では、流れ込んだ高温高圧のガス冷媒と、送風機３７によって供給される空気との間で熱交換が行われて、高温高圧のガス冷媒は、凝縮して高圧の液冷媒（単相）になる。
【００８２】
第２熱交換器３６から送り出された高圧の液冷媒は、絞り装置３５によって、低圧のガス冷媒と液冷媒との二相状態の冷媒になる。二相状態の冷媒は、蒸発器として機能する第１熱交換器３４に流れ込む。第１熱交換器３４では、流れ込んだ二相状態の冷媒と、送風機３７によって供給される空気との間で熱交換が行われて、二相状態の冷媒のうち液冷媒が蒸発して低圧のガス冷媒（単相）になる。第１熱交換器３４から送り出された低圧のガス冷媒は、流路切替装置３９を介して圧縮機３３に流れ込み、圧縮されて高温高圧のガス冷媒となって、再び圧縮機３３から吐出する。以下、このサイクルが繰り返される。
【００８３】
次に、冷凍サイクル装置１００が実行する暖房運転について説明する。なお、暖房運転時の冷媒の流れは、図１２の実線矢印で示している。
【００８４】
図１２に示すように、圧縮機３３を駆動させることによって、圧縮機３３から高温高圧のガス状態の冷媒が吐出する。以下、実線矢印にしたがって冷媒が流れる。圧縮機３３から吐出した高温高圧のガス冷媒（単相）は、流路切替装置３９を介して凝縮器として機能する第１熱交換器３４に流れ込む。第１熱交換器３４では、流れ込んだ高温高圧のガス冷媒と、送風機３７によって供給される空気との間で熱交換が行われて、高温高圧のガス冷媒は、凝縮して高圧の液冷媒（単相）になる。
【００８５】
第１熱交換器３４から送り出された高圧の液冷媒は、絞り装置３５によって、低圧のガス冷媒と液冷媒との二相状態の冷媒になる。二相状態の冷媒は、蒸発器として機能する第２熱交換器３６に流れ込む。第２熱交換器３６では、流れ込んだ二相状態の冷媒と、送風機３７によって供給される空気との間で熱交換が行われて、二相状態の冷媒のうち液冷媒が蒸発して低圧のガス冷媒（単相）になる。第２熱交換器３６から送り出された低圧のガス冷媒は、流路切替装置３９を介して圧縮機３３に流れ込み、圧縮されて高温高圧のガス冷媒となって、再び圧縮機３３から吐出する。以下、このサイクルが繰り返される。
【００８６】
なお、冷凍サイクル装置１００の暖房運転時においては、第２熱交換器３６が蒸発器として機能している。そのため、第２熱交換器３６では、送風機３７から供給される空気と、第２熱交換器３６を構成している伝熱管の内部を流動する冷媒との間で熱交換が行われる際に、空気中の水分が凝縮し、第２熱交換器３６の表面に水滴が生ずる。第２熱交換器３６で生じた水滴は、フィンと伝熱管で構成された排水路（実施の形態１で説明した排水領域１ｂ）を通じて、下方へ流下して排出される。
【００８７】
例えば、第２熱交換器３６が冷凍サイクル装置１００の室外機（図示せず）に収容され、冷凍サイクル装置１００の暖房運転によって蒸発器として機能する場合、空気中の水分が第２熱交換器３６に着霜することがある。そのため、暖房運転が可能な空気調和装置等では、通常、外気が一定温度（例えば、０℃）以下となったときに霜を除去するための「除霜運転」を行うようになっている。
【００８８】
「除霜運転」とは、蒸発器として機能する第２熱交換器３６に霜が付着するのを防ぐために圧縮機３３から第２熱交換器３６にホットガス（高温高圧のガス冷媒）を供給する運転のことである。なお、除霜運転を、暖房運転の継続時間が所定値（例えば、３０分）に達した場合に実行するようにしてもよい。また、除霜運転を、第２熱交換器３６が一定温度（例えば、マイナス６℃）以下の場合に、暖房運転を行う前に実行するようにしてもよい。第２熱交換器３６に付着した霜および氷は、除霜運転時に第２熱交換器３６に供給されるホットガスによって融解される。
【００８９】
ここで、実施の形態１に係る熱交換器５００を、第２熱交換器３６として用いた場合について説明する。実施の形態１では、熱交換器５００に流入させる空気の流れ方向について、特段の限定を行わなかったが、実施の形態２では、熱交換器５００の導水領域１ａ側から排水領域１ｂ側に向けて空気が流れるものとして説明する。つまり、図９で言うと、紙面左側から右側に空気が流れるものとする。なお、送風機３７は、熱交換器５００の上流側又は下流側のいずれに設置されていてもよい。
【００９０】
実施の形態１で説明したように、熱交換器５００は、「導水構造」が形成されている導水領域１ａと、「排水構造」が形成されている排水領域１ｂとを有している。このため、第２熱交換器３６においては、フィン１に付着した水滴が、導水領域１ａから排水領域１ｂに移動しやすくなっている。加えて、導水領域１ａ側から排水領域１ｂ側に向けて空気が流れるようになっているので、空気の流れを利用して、フィン１に付着した水滴が、さらに移動しやすくなっている。また、フィン１の重力方向下側になるに従い同様の作用を繰り返すため、フィン１の重力方向下側になるに伴い導水領域１ａに付着した水滴Ｗの多くが排水領域１ｂに導かれることになる。
【００９１】
これにより、第２熱交換器３６の全体における水の滞留量も減少しやすい。このように、冷凍サイクル装置１００によれば、第２熱交換器３６として実施の形態１に係る熱交換器５００を採用しているので、第２熱交換器３６で発生した水滴の排水性が大幅に向上される。
【００９２】
また、除霜運転によって、第２熱交換器３６に付着した霜が融解し始めた直後、多量の水滴が第２熱交換器３６から排出されることにもなる。このため、冷凍サイクル装置１００によれば、除霜運転に要する除霜時間が短くなる。したがって、除霜運転に必要な熱量を減らし、且つ、除霜時間を低減することができるので、冷凍サイクル装置１００は高効率なものとなる。さらに、冷凍サイクル装置１００によれば、暖房運転時の残水を減少させることができるので、信頼性の向上、通風抵抗の減少、着霜耐力の向上が実現される。
【００９３】
なお、冷凍サイクル装置１００に使用する冷媒を特に限定するものではなく、Ｒ４１０Ａ、Ｒ３２、ＨＦＯ１２３４ｙｆ等の冷媒を使用しても効果を発揮することができる。
また、作動流体としては空気および冷媒の例を示したが、これに限定するものではなく、他の気体、液体、気液混合流体を用いても、同様の効果を発揮する。つまり、冷凍サイクル装置１００の用途に応じて、作動流体は変化するものであり、どの場合であっても効果を奏することになる。
さらに、熱交換器５００を第１熱交換器３４として用いた場合においても同様な効果を奏することができる。
【００９４】
また、冷凍サイクル装置１００については、鉱油系、アルキルベンゼン油系、エステル油系、エーテル油系、フッ素油系など、冷媒に油が溶ける、溶けないにかかわらず、どんな冷凍機油について用いることができ、熱交換器５００としての効果を発揮することができる。
さらに、冷凍サイクル装置１００のその他の例としては、給湯器や冷凍機、空調給湯複合機などがあり、いずれの場合も製造が容易で、熱交換性能を向上し、エネルギ効率を向上させることができる。
【００９５】
以上のように、冷凍サイクル装置１００によれば、圧縮機３３、第１熱交換器３４、絞り装置３５、および、第２熱交換器３６により冷媒回路が形成され、第１熱交換器３４及び第２熱交換器３６のうち少なくともいずれか１つに実施の形態１に係る熱交換器５００を適用しているので、排水性の向上及び伝熱性能の確保を両立することになる。
【符号の説明】
【００９６】
１  フィン、１ａ  導水領域、１ａ−１  波型導水構造、１ａ−２  ディンプル導水構造、１ａ−３  スリット導水構造、１ａ−４  傾斜波型導水構造、１ｂ  排水領域、１ｂ−１  波型排水構造、１ｂ−２  ディンプル排水構造、１ｂ−３  スリット排水構造、２  伝熱管、２Ａ  隔壁、２ａ  上面、２ｂ  他側部、２ｃ  下面、２ｄ  一側部、１０  切欠部、１０ａ  奥部、１０ｂ  挿入部、２０  冷媒流路、３３  圧縮機、３４  第１熱交換器、３５  絞り装置、３６  第２熱交換器、３７  送風機、３８  送風機用モータ、３９  流路切替装置、４０  冷媒配管、１００  冷凍サイクル装置、５００  熱交換器、５００Ａ  風上側熱交換器、５００Ｂ  風下側熱交換器、５０３  風上側ヘッダ集合管、５０４  風下側ヘッダ集合管、５０５  列間接続部材、Ｗ  水滴、Ｘ  空気の流通方向、Ｙ  フィンの並んでいる方向、Ｚ  重力方向。
【図１】
2018003123.tif 000003
【図２】
2018003123.tif 000004
【図３】
2018003123.tif 000005
【図４】
2018003123.tif 000006
【図５】
2018003123.tif 000007
【図６】
2018003123.tif 000008
【図７】
2018003123.tif 000009
【図８】
2018003123.tif 000010
【図９】
2018003123.tif 000011
【図１０】
2018003123.tif 000012
【図１１】
2018003123.tif 000013
【図１２】
2018003123.tif 000014
【手続補正書】
【提出日】平成30年9月21日(2018.9.21)
【手続補正１】
【補正対象書類名】明細書
【補正対象項目名】００１０
【補正方法】変更
【補正の内容】
【００１０】
本発明に係る熱交換器は、重力方向に延設されたフィンと、前記フィンに交差するように装着された複数の伝熱管と、を備え、前記複数の伝熱管を重力方向に並設した熱交換器であって、前記フィンは、前記複数の伝熱管のそれぞれの上下に配した導水領域と、前記複数の伝熱管のそれぞれの一方の側部に配した排水領域と、を有し、前記導水領域は、前記排水領域に水を導く導水構造を有し、前記排水領域は、重力方向に水を導く排水構造を有し、前記導水構造は、前記フィンの一部をディンプル状に形成して構成され、前記排水構造は、前記フィンの一部をディンプル状に形成して構成され、前記導水構造を構成するディンプルと、前記排水構造を構成するディンプルと、の疎密状態を変化させているものである。
【手続補正２】
【補正対象書類名】特許請求の範囲
【補正対象項目名】全文
【補正方法】変更
【補正の内容】
【特許請求の範囲】
【請求項１】
重力方向に延設されたフィンと、前記フィンに交差するように装着された複数の伝熱管と、を備え、前記複数の伝熱管を重力方向に並設した熱交換器であって、
前記フィンは、
前記複数の伝熱管のそれぞれの上下に配した導水領域と、
前記複数の伝熱管のそれぞれの一方の側部に配した排水領域と、を有し、
前記導水領域は、前記排水領域に水を導く導水構造を有し、
前記排水領域は、重力方向に水を導く排水構造を有し、
前記導水構造は、
前記フィンの一部をディンプル状に形成して構成され、
前記排水構造は、
前記フィンの一部をディンプル状に形成して構成され、
前記導水構造を構成するディンプルと、前記排水構造を構成するディンプルと、の疎密状態を変化させている
熱交換器。
【請求項２】
前記導水構造は、
前記フィンの一部を切り起こして形成したスリットを有している
請求項１に記載の熱交換器。
【請求項３】
前記排水構造は、
前記フィンの一部を切り起こして形成したスリットを有している
請求項１又は２に記載の熱交換器。
【請求項４】
前記複数の伝熱管は、
断面短軸方向よりも断面長軸方向を大きくした形状である
請求項１〜３のいずれか一項に記載の熱交換器。
【請求項５】
前記複数の伝熱管のそれぞれの断面長軸方向が、
前記排水領域に向かって下向きに傾斜している
請求項４に記載の熱交換器。
【請求項６】
傾斜させた前記複数の伝熱管のそれぞれの傾斜角度を２０度以下とした
請求項５に記載の熱交換器。
【請求項７】
圧縮機、第１熱交換器、絞り装置、第２熱交換器を冷媒配管によって接続した冷媒回路を有し、
請求項１〜６のいずれか一項に記載の熱交換器を、前記第１熱交換器及び前記第２熱交換器の少なくとも１つとして用いている
冷凍サイクル装置。
【請求項８】
請求項１〜６のいずれか一項に記載の熱交換器を前記第２熱交換器として用いているものにおいて、
前記第２熱交換器に空気を供給する送風機を設け、
前記送風機によって供給される空気を前記第２熱交換器の前記導水領域側から流入させる
請求項７に記載の冷凍サイクル装置。
【国際調査報告】
2018003123.tif 000015
2018003123.tif 000016
2018003123.tif 000017
2018003123.tif 000018